(57)【要約】【課題】スクリーンドラムの目詰まりの度合いに応じたメンテナンスが容易に行え、通常のスクリーンドラムの運転に悪影響を与えにくい回転式スクリーン装置の目詰まり防止機構を提供すること。【解決手段】多数の孔部３Ａを設けたスクリーンドラム（スクリーン３）を設け、スクリーンドラムを水平方向に対して傾斜した回転軸心周りに回転駆動する回転駆動機構を設け、ドラム上手側に処理対象物を投入する投入部を備え、スクリーンドラムに沿って回転自在なロール２０を設け、孔部３Ａに侵入可能な突起部２５をロール２０に、孔部３Ａに対応して多数設け、前記ロール２０をスクリーンドラムに近接させて、スクリーンドラムの回動に伴って回動させる接当姿勢と、前記ロール２０を前記スクリーンドラムから退避させる退避姿勢とに前記ロール２０を姿勢変更自在な出退操作機構を設けてある。【選択図】                図５
2004237221.tif 000002
【特許請求の範囲】
【請求項１】
多数の孔部を設けたスクリーンドラムを設け、前記スクリーンドラムを水平方向に対して傾斜した回転軸心周りに回転駆動する回転駆動機構を設け、ドラム上手側に処理対象物を投入する投入部を備え、投入された処理対象物を下手側に搬送しつつ分級し、そのスクリーンドラム下方のシュートに落下させる回転式スクリーン装置の目詰まり防止機構であって、
前記スクリーンドラムに沿って回転自在なロールを設け、
前記孔部に侵入可能な突起部を前記ロールに、前記孔部に対応して多数設け、
前記ロールを前記スクリーンドラムに近接させて、前記スクリーンドラムの回動に伴って回動させる接当姿勢と、前記ロールを前記スクリーンドラムから退避させる退避姿勢とに前記ロールを姿勢変更自在な出退操作機構を設けてある回転式スクリーン装置の目詰まり防止機構。
【請求項２】
前記ロールを前記スクリーンドラムに接当させた状態で、前記ロールを前記スクリーンドラムに押圧付勢する付勢機構を設けた請求項１記載の回転式スクリーン装置の目詰まり防止機構。
【請求項３】
前記ロールが前記スクリーンドラムに対する接当位置を、前記スクリーンドラムの軸心方向に沿って変更する接当位置変更機構を設けてある請求項１または２に記載の回転式スクリーン装置の目詰まり防止機構。
【請求項４】
前記ロールに接当して前記ロールに付着した付着物を除去する除去機構を設けた請求項１〜３のいずれかに記載の回転式スクリーン装置の目詰まり防止機構。
【請求項５】
前記突起部が先すぼまりに形成されている請求項１〜４のいずれかに記載の回転式スクリーン装置の目詰まり防止機構。
【発明の詳細な説明】
【０００１】
【発明の属する技術分野】
本発明は、回転式スクリーン装置の目詰まり防止機構に関する。
前記回転式スクリーン装置は、多数の孔部を設けたスクリーンドラムを設け、前記スクリーンドラムを水平方向に対して傾斜した回転軸心周りに回転駆動する回転駆動機構を設け、ドラム上手側に処理対象物を投入する投入部を備え、投入された処理対象物を下手側に搬送しつつ分級し、そのスクリーンドラム下方のシュートに落下させる構成となっており、焼却飛灰から粒径の大きな異物を取り除いたり、種々の粉粒体の混合物から所定粒度の粉体や粒体を選別するのに用いられている。
このような回転式スクリーン装置は、処理対象物を前記孔部から通過できるものとできないものとに分離するものであるから、前記孔部を通過できるかどうか微妙な大きさの粒体等が前記孔部に引っかかったままとれなくなることがあって、前記スクリーンドラムの孔部が次第に目詰まりすることがある。
【０００２】
【従来の技術】
従来、この種の回転式スクリーン装置は、ある程度の期間連続運転されると、定期的に稼働を停止して、前記スクリーンドラムの孔部に詰まった異物等を取り除くメンテナンス作業を行い、前記孔部が処理対象物の分級等に有効に利用されるように保守されている。しかし、このようなメンテナンス作業を頻繁に行う必要があるような場合は、稼働効率が低下するために、回転式スクリーン装置の安定稼働のために、目詰まり防止機構を備えたものが提案されている。
【０００３】
前記目詰まり防止機構としては、前記スクリーンドラムの外側からロール状の部材を接当させ、前記孔部に引っかかってスクリーンドラム外方に突出している異物等を再度スクリーンドラム内に押し戻そうとするものが知られており、さらに、前記ロール状部材に突起を設けて、前記孔部内に引っかかり、スクリーンドラム外方には突出していない異物まで効率よくスクリーンドラム内に押し戻そうとするものが提案されている（特許文献１参照）。
【０００４】
【特許文献１】
特開平１０−２７２４２４
【０００５】
【発明が解決しようとする課題】
しかし、このような回転式スクリーン装置の目詰まり防止機構は、
前記スクリーンドラムに常時接当するものとしてあるために、前記スクリーンドラムを回転させるための負荷が常に高くなり、運転時の消費エネルギーに対する分級効果が十分でない。
負荷による前記ロールの消耗が大きい。
前記孔部内に微細な粒子が堆積して固化した場合には、目詰まりが生じているにもかかわらず、前記突起が前記孔部に侵入できなくなる場合があり、目詰まりが解消されにくくなる。
前記突起自体に微細な粒子が堆積して固化した場合も同様に、前記突起が孔部に侵入できなくなり、目詰まりが解消されにくい。
等の問題点があって、前記スクリーンドラムの目詰まりの度合いに応じたメンテナンスが容易に行え、通常のスクリーンドラムの運転に悪影響を与えにくい回転式スクリーン装置の目詰まり防止機構が望まれている。
【０００６】
従って、本発明の目的は、上記実情に鑑み、スクリーンドラムの目詰まりの度合いに応じたメンテナンスが容易に行え、通常のスクリーンドラムの運転に悪影響を与えにくい回転式スクリーン装置の目詰まり防止機構を提供することにある。
【０００７】
【課題を解決するための手段】
この目的を達成するための本発明の回転式スクリーン装置の目詰まり防止機構の特徴構成は、
多数の孔部を設けたスクリーンドラムを設け、前記スクリーンドラムを水平方向に対して傾斜した回転軸心周りに回転駆動する回転駆動機構を設け、ドラム上手側に処理対象物を投入する投入部を備え、投入された処理対象物を下手側に搬送しつつ分級し、そのスクリーンドラム下方のシュートに落下させる回転式スクリーン装置に対して、
前記スクリーンドラムに沿って回転自在なロールを設け、
前記孔部に侵入可能な突起部を、前記ロールに前記孔部に対応して多数設け、
前記ロールを前記スクリーンドラムに近接させて、前記スクリーンドラムの回動に伴って回動させる接当姿勢と、前記ロールを前記スクリーンドラムから退避させる退避姿勢とに前記ロールを姿勢変更自在な出退操作機構を設けてある点にある。
【０００８】
つまり、スクリーンドラムに沿って回転自在なロールを設け、前記スクリーンドラムの孔部に侵入可能な突起部を、前記ロールに前記孔部に対応して多数設けてあれば、上述の従来の技術に記載の目詰まり防止機構と同様に、前記孔部に対して突起部を侵入させることにより、前記孔部に引っかかった異物等をスクリーンドラム内方側へ押し戻すことができる。
さらに、前記ロールは、前記出退操作機構により、接当姿勢とされると、前記突起部が前記孔部に侵入可能な姿勢で、前記ロールがスクリーンドラムに接当して先述の目詰まり防止機構として働く。一方前記退避姿勢とされると、前記ロールは前記スクリーンドラムに接当しないように退避するから、前記スクリーンドラムには負荷がかからず、通常のスクリーン装置としての運転に悪影響を与えない。また、この際、前記ロールは、前記スクリーンドラムに接当していないから摩擦等による消耗を受けない。従って、メンテナンス作業者が、任意のタイミングで目詰まり防止作業を行えるとともに、その作業時を除いては、前記スクリーン装置に回転負荷を与えることがない。また、メンテナンス作業は、スクリーン装置の運転中に行えるから、作業効率が良い。
【０００９】
また、前記接当姿勢において、前記ロールは、前記スクリーンドラムの回転力を受けるから、前記スクリーンドラムの回動に伴って回動させられる。すると、前記ロール上の突起部は、次から次へと前記ロールの回転に伴って孔部内に侵入するように案内される。また、さらに、孔部から引き抜かれるようにスクリーンドラムによって動かされる。そのため、前記スクリーンドラムの孔部には、周方向に順次、突起部が侵入して目詰まりを除去する作用姿勢となる。従って、前記ロールには動力を設けることなく前記スクリーンドラムの孔部から、順次異物を除去することができるようになる。
【００１０】
また、前記ロールを前記スクリーンドラムに接当させた状態で、前記ロールを前記スクリーンドラムに押圧付勢する付勢機構を設けてあってもよい。前記ロールを前記スクリーンドラムに接当させたときに、前記突起部が前記孔部に侵入せず、スクリーンドラム表面に接当してしまったような場合には、前記突起部にはスクリーンドラムの回転力が伝達されにくく、前記スクリーンドラム上を相対的に「滑る」ことになる。この状態では、前記ロールは空回りしつつ前記突起部が前記スクリーンドラムの表面に接当しつつ、滑って孔部に達することになる。このとき、上述のように付勢機構を設けてあれば、前記ロールの前記突起部が前記孔部に達したときに、付勢力によって容易に孔部内に侵入するため、前記ロールが簡単に上述の作用姿勢となり、スクリーンドラムの目詰まり防止が行える。
また、前記付勢機構によれば、前記ロールのスクリーンドラムに対する押しつけ力をある程度加減して所定値に近くなるように調節する役割を担うから、前記スクリーンドラムの孔部に突起部が必要以上に押入されて破損するのを防止したり、ある程度の目詰まりは、前記付勢力によって、スクリーンドラム内部に押し戻したりして前記ロールが効率よく作用するのに寄与する。
【００１１】
前記ロールの全幅が、前記スクリーンドラムの全幅よりも小さくても、前記スクリーンドラムにおける目詰まりの激しい部分に前記ロールを接当させることによって、効果的に目詰まりを解消させるのに有用である。さらに、前記ロールが前記スクリーンドラムに対する接当位置を、前記スクリーンドラムの軸心方向に沿って変更する接当位置変更機構を設けてあれば、通常は目詰まりの発生しやすい部位において作用させ、所定の時期毎に、前記ロールの接当位置を変更させつつスクリーンドラムの広範囲の孔部にわたって作用させることができるようになる。
【００１２】
尚、前記ロールに接当して前記ロールに付着した付着物を除去する除去機構を設けてあれば、前記孔部の異物が前記ロールに付着したとしても、速やかに除去して堆積しないように維持でき、前記ロールを長期にわたって良好にスクリーンドラムに作用させられる。
【００１３】
また、前記突起部が先すぼまりに形成されていると、前記突起部の先端部の径が前記孔部の孔径よりも小さくかつ突起部の基端部の径が前記孔部の内周縁部に接当する程度になる寸法を容易に設定できる。すると、前記突起部は小径の先端部から容易に前記孔部に侵入することができるとともに、前記孔部の内周縁部に案内されて奥まで進み、前記孔部に引っかかった異物を押しのけながら前記突起部の基端部側までが前記孔部に侵入することによって、効果的に目詰まり防止が行える。
【００１４】
【発明の実施の形態】
図を用いて発明の実施の形態を説明する。
本願の回転式スクリーン装置１の構成を図面に基づいて説明する。
図１〜４に示すように、このスクリーン装置１は、基本的には付着性の処理対象物２を多数の孔部を有するパンチングメタルから構成されるスクリーン３によって、他の固形物（異物）４から分離するためのものである。
【００１５】
装置１は、回転軸芯Ｘが水平方向に対して傾斜されたスクリーンドラム５を、回転駆動機構６により回転可能に備えて構成され、その軸方向の中央部位に円筒状に成型されたスクリーン３を備えている。
ドラム上手側の開口７から処理対象物２である湿灰をドラム内に投入して、スクリーンドラム５の回転に伴って、湿灰のみを装置下部に設けられたシュート８に落下させて分級する。
スクリーンドラム５の回転駆動は、ドラム側壁に固定して設けられる半割りスプロケット９と、駆動側のローラチェーン１０を介して行われる。
【００１６】
以下、さらに詳細に説明する。
【００１７】
１  スクリーンドラム
スクリーンドラム５は、図１に示すように、水平方向に対して傾斜して回転駆動されるものであり、そのドラム上手側の部位に上手側ドラム枠５ａ、下手側の部位に下手側ドラム枠５ｂを備えて構成されており、これら枠５ａ，５ｂの中間に多数の孔部を有するパンチングメタルからなるスクリーン３を備えている。
【００１８】
スクリーン３もまたパンチングメタルを筒状として構成されており、その上端が上手側ドラム枠５ａに、下端が下手側ドラム枠５ｂに連結されて構成されている。
このスクリーンドラム５は、装置１の支持フレーム１１上で、回転軸Ｘ回りに回転可能に支持される。
尚、前記スクリーンドラム５の外周側には、前記スクリーン３を囲繞するカバー５１を設けてあり、前記カバー５１には、前記スクリーン３の目詰まり状態を点検するための点検窓５１ａおよびスクリーン３のメンテナンス作業用の扉５１ｂを設けて構成してある。
【００１９】
さらに具体的には、スクリーンドラムは、径１０００ｍｍφとし、回転数１５ｒｐｍ程度で運転される。
【００２０】
２  スクリーンドラムの回転支持構造
支持フレーム１１上におけるスクリーンドラム５の支持は、図１、２に示すように、上手側ドラム枠５ａに対して設けられる一対の受けローラ１２、下手側ドラム枠５ｂに対して設けられる一対のスラストローラ１３により行われる。これらのローラ１２，１３の当接部位５ｄは、それぞれ保護カバー１４によって保護される。
【００２１】
３  スクリーンドラムの傾斜設定
図１，３に示すように、スクリーンドラムは、支持フレーム１１は水平配置される揺動軸Ｙ回りに揺動可能に構成されるとともに、支持フレーム上手側端近傍位置及び下手側端近傍位置にそれぞれ、角度調整用ボルト１５が設けられている。
支持フレーム１１の上下両端、四ヶ所に固定して設けられているナット１６と、上記角度調整用ボルト１５のかみ込み量を調節することで、ドラム５の傾斜角度は調整される。この傾斜角度は、通常、水平方向に対して、１５度以下（好ましくは、１０度前後（８〜１２度））に選択される。
【００２２】
４  傾斜型ホッパー
図１，３に示すように、処理対象物２のスクリーンドラム５内への投入は、傾斜型ホッパー１７により行うものとされている。このホッパー１７は、上記支持フレーム１１に固定支持されており、その処理対象物入口１７ａがスクリーンドラム外側に、さらに、その処理対象物出口１７ｂが、スクリーンドラム５の上手側開口端側のスクリーン部位３ａに設定されている。
ホッパー１７は、ドラム５の上手側端にある全面開口からドラム内に侵入する。
【００２３】
５  シュート
図１，２に示すように、前記支持フレーム１１の内部及びその下部に、シュート８が備えられている。
このシュート８は、前記スクリーン３から落下してくる灰を受け入れるためのものであり、その上手側シュート壁の傾斜角度が大きく、下手側シュート壁の傾斜角度が小さく設定されている。この方向における落下物受け入れ主体部は、ほぼ、傾斜型ホッパー１７からの処理対象物２が投入されて、堆積されるスクリーン部位３ａとされている。
【００２４】
６  目詰まり防止機構
図１，４，５に示すように、前記スクリーンドラム５に沿った軸心周りに回転自在なロール２０を、前記ロール２０を保持する保持部材２１に取り付け、前記スクリーンドラム５の上方側に設ける。前記保持部材２１は、前記スクリーンドラム５上方に垂下支持される操作レバー２２の一端部２２ａに取り付け固定してある。前記操作レバー２２は逆Ｊ字形でＪ字の底部がスクリーンドラム上方側固定部にスクリーンドラム５に沿った軸心周りに揺動自在に支持され、、短端側一端部２２ａを前記保持部材２１の取付部、長端側他端部２２ｂを操作部に形成してある。
これにより、前記ロール２０は、図５に示すように、前記操作部２２ｂを揺動操作して、前記スクリーンドラム５のスクリーン部位３ａに近接させて、前記スクリーンドラム５の回動に伴って回動させる接当姿勢（図５（ロ）参照）と、前記ロールを前記スクリーンドラムから退避させる退避姿勢（図５（イ）参照）とに姿勢変更自在に操作させられる（出退操作機構）。
【００２５】
前記保持部材２１は、図５，６に示すように、前記ロール２０に設けられる芯部材２３を回転自在に支持するとともに、保持部材２１の基部２１ａと、前記芯部材２３との間に離間させる方向の力を作用させるバネ２４を介在固定させて、前記ロール２０を前記スクリーンドラム５に接当させた状態で、前記ロール２０を前記スクリーンドラム５に押圧付勢する付勢機構を形成してある。
【００２６】
図７に示すように、前記ロール２０には、前記孔部３Ａに侵入可能な突起部２５を、前記孔部３Ａに対応して多数設け、前記ロール２０を前記スクリーンドラム５に近接させた接当姿勢では、前記突起部２５が前記孔部３Ａに侵入しつつ、前記スクリーンドラム５の回動に伴って、前記ロール２０が回動させられるように形成してある。前記突起部２５は、基端側２５ａが前記孔部３Ａの径よりもやや大きく先端側２５ｂが前記孔部３Ａの径よりも十分小さい先すぼまりの円錐台形をしており、ここでは硬質の樹脂製としてある。尚、前記突起部２５の形状、材質は、これに限らず、処理対象物の種類、性状等に応じて適宜変更することができ、たとえば、アルミニウム製であっても良い。
【００２７】
また、前記保持部材２１には前記ロール２０に接当するブラシ２６を前記ロール２０に沿って併設し、前記ロール２０に付着する付着物を除去する除去機構を形成してある。
【００２８】
また、前記操作レバー２２は、前記スクリーンドラム５の軸心方向に沿って取付位置可変に構成され、前記ロール２０が前記スクリーンドラム５に対する接当位置を、前記スクリーンドラム５の軸心方向に沿って変更可能に構成してある  （接当位置変更機構２７（図１，５参照））。
【００２９】
前記目詰まり防止機構は、たとえば、湿灰の分級を行う際に、一日一回程度、前記スクリーンドラムのスクリーン上手側にて、前記スクリーンの一回転分だけ作用姿勢（図５（ロ）参照）に操作すると、前記スクリーンドラムの動作が安定して行える。
【図面の簡単な説明】
【図１】本願の回転式スクリーン装置の側断面図
【図２】回転駆動機構近傍の構造を示す図
【図３】スクリーンドラム支持構造を示す図
【図４】スクリーン装置の要部縦断正面図
【図５】目詰まり防止機構の要部詳細図
【図６】保持部材の要部説明図
【図７】ロールの操作説明詳細図
【符号の説明】
１      回転式スクリーン装置
２      処理対象物
３      スクリーン
４      異物
Ｘ      回転軸芯
５      スクリーンドラム
６      回転駆動機構
７      開口
８      シュート
Ｙ      揺動軸
１７ａ  処理対象物入口
１７ｂ  処理対象物出口
２０    ロール
２１    保持部材
２２    操作レバー
２３    芯部材
２４    バネ
３Ａ    孔部
２５    突起部
２６    ブラシ
【図１】
2004237221.tif 000003
【図２】
2004237221.tif 000004
【図３】
2004237221.tif 000005
【図４】
2004237221.tif 000006
【図５】
2004237221.tif 000007
【図６】
2004237221.tif 000008
【図７】
2004237221.tif 000009